(57)【特許請求の範囲】
【請求項１】
光源と、
前記光源から射出された光を、画像信号に応じて画像光に変調する光変調装置と、
前記光変調装置で変調された前記画像光を投写する投写レンズと、
前記投写レンズに対して所定の調整動作を行うレンズ調整機構と、
前記画像信号を入力する複数の入力端子を備える入力端子部と、
入力切替操作を受け付ける操作受付部と、
前記入力切替操作に基づいて、前記入力端子部に備わる前記複数の入力端子から１つの入力端子を選択する入力選択部と、
前記レンズ調整機構を調整させるためのレンズ調整値を入力端子の種別と関連付けて記憶する調整値記憶部と、
前記入力切替操作を受け付けたときに、前記入力選択部によって選択された入力端子の種別に対応した前記レンズ調整値を、前記調整値記憶部から選択する調整値選択部と、
前記調整値選択部が選択した前記レンズ調整値に基づいたレンズ調整動作を、前記レンズ調整機構に行わせる調整制御部と、
を備えることを特徴とするプロジェクター。
【請求項２】
光源と、
前記光源から射出された光を、画像信号に応じて画像光に変調する光変調装置と、
前記光変調装置で変調された前記画像光を投写する投写レンズと、
前記投写レンズに対して所定の調整動作を行うレンズ調整機構と、
前記画像信号を入力する複数の入力端子を備える入力端子部と、
電源投入操作を受け付ける操作受付部と、
前記電源投入操作を受け付けると、前記入力端子部に備わる前記複数の入力端子から１つの入力端子を選択する入力選択部と、
前記レンズ調整機構を調整させるためのレンズ調整値を入力端子の種別と関連付けて記憶する調整値記憶部と、
前記電源投入操作を受け付けたときに、前記入力選択部によって選択された入力端子の種別に対応した前記レンズ調整値を、前記調整値記憶部から選択する調整値選択部と、
前記調整値選択部が選択した前記レンズ調整値に基づいたレンズ調整動作を、前記レンズ調整機構に行わせる調整制御部と、
を備えることを特徴とするプロジェクター。
【請求項３】
請求項１または２に記載のプロジェクターであって、
前記レンズ調整機構による前記所定の調整動作は、
焦点調整のためのフォーカス調整動作、投写画角を調整するズーム調整動作、および、前記投写レンズを移動させることによって画像の投写位置を調整するレンズシフト調整動作のうちの少なくとも１つとすることを特徴とするプロジェクター。
【請求項４】
請求項２に記載のプロジェクターであって、
前記入力選択部が選択する入力端子は、前回電源遮断された際に選択されていた入力端子であることを特徴とするプロジェクター。
【請求項５】
請求項１または２に記載のプロジェクターであって、
前記調整値記憶部に前記レンズ調整値を入力端子の種別と関連付けて記憶させる記憶制御部をさらに備え、
前記記憶制御部は、前記レンズ調整値を前記調整値記憶部に記憶させるときに、その時点で前記入力選択部によって選択されている入力端子の種別と関連付けて記憶させることを特徴とするプロジェクター。
【請求項６】
請求項１または２に記載のプロジェクターであって、
前記調整値記憶部に前記レンズ調整値を入力端子の種別と関連付けて記憶させる記憶制御部をさらに備え、
前記記憶制御部は、前記操作受付部による入力端子の選択操作を受け付け、選択された当該入力端子の種別に関連付けて、前記レンズ調整値を前記調整値記憶部に記憶させることを特徴とするプロジェクター。
【請求項７】
光源と、前記光源から射出された光を、画像信号に応じて画像光に変調する光変調装置と、前記光変調装置で変調された前記画像光を投写する投写レンズと、前記投写レンズに対して所定の調整動作を行うレンズ調整機構と、前記画像信号を入力する複数の入力端子を備える入力端子部と、前記入力端子部に備わる前記複数の入力端子から１つの入力端子を選択する入力選択部と、前記レンズ調整機構を調整させるためのレンズ調整値を入力端子の種別と関連付けて記憶する調整値記憶部と、を有するプロジェクターの制御方法であって、
入力切替操作を受け付ける操作受付ステップと、
前記操作受付ステップが受け付けた前記入力切替操作に応じて、前記入力選択部に、前記入力端子部に備わる前記複数の入力端子から１つの入力端子を選択させる入力選択ステップと、
前記操作受付ステップが前記入力切替操作を受け付けたときに、前記入力選択部によって選択された入力端子の種別に対応した前記レンズ調整値を、前記調整値記憶部から選択する調整値選択ステップと、
前記調整値選択ステップにおいて選択された前記レンズ調整値に基づいたレンズ調整動作を、前記レンズ調整機構に行わせる調整制御ステップと、
を備えることを特徴とするプロジェクターの制御方法。
【請求項８】
光源と、前記光源から射出された光を、画像信号に応じて画像光に変調する光変調装置と、前記光変調装置で変調された前記画像光を投写する投写レンズと、前記投写レンズに対して所定の調整動作を行うレンズ調整機構と、前記画像信号を入力する複数の入力端子を備える入力端子部と、前記入力端子部に備わる前記複数の入力端子から１つの入力端子を選択する入力選択部と、前記レンズ調整機構を調整させるためのレンズ調整値を入力端子の種別と関連付けて記憶する調整値記憶部と、を有するプロジェクターの制御方法であって、
電源投入操作を受け付ける操作受付ステップと、
前記操作受付ステップで受け付けた前記電源投入操作を受け付けると、前記入力選択部に、前記入力端子部に備わる前記複数の入力端子から１つの入力端子を選択させる入力選択ステップと、
前記操作受付ステップが前記電源投入操作を受け付けたときに、前記入力選択部によって選択された入力端子の種別に対応した前記レンズ調整値を、前記調整値記憶部から選択する調整値選択ステップと、
前記調整値選択ステップにおいて選択された前記レンズ調整値に基づいたレンズ調整動作を、前記レンズ調整機構に行わせる調整制御ステップと、
を備えることを特徴とするプロジェクターの制御方法。
【発明の詳細な説明】
【技術分野】
【０００１】
本発明は、プロジェクター、およびプロジェクターの制御方法に関する。
【背景技術】
【０００２】
近年、ズームやフォーカス、レンズシフト等の光学系（レンズ）の調整機構を備えたプロジェクターが知られている。特許文献１には、ズーム、フォーカス、レンズシフト等の光学系の調整に関する複数のパラメーターセット（レンズ調整値）をメモリーに記憶し、その中から所望のものを選択させ、選択されたパラメーターセットの各パラメーターに応じて光学系の調整を行うプロジェクター制御装置が開示されている。このようなプロジェクターは、プロジェクターを固定設置し、複数の入力端子から選択された入力端子に応じて複数のスクリーンを切り替えて使う態様の場合に有益である。つまり、スクリーンの切り替えにより発生する表示位置のずれを、パラメーターセットを変更してレンズ位置調整することで補正することが可能である。
【先行技術文献】
【特許文献】
【０００３】
【特許文献１】特開２００３−２９５３２１号公報
【発明の概要】
【発明が解決しようとする課題】
【０００４】
しかしながら、従来のプロジェクターでは、メモリーに記憶されているレンズ調整値（パラメーターセット）を確認することができない場合があった。つまり、メモリーにどのようなレンズ調整値を記憶させたかを、ユーザーが覚えておく必要があり、選択された入力端子に応じてユーザーがメモリーに記憶されているレンズ調整値（パラメーターセット）を選択しなければならなかった。しかし、レンズ調整値をユーザーが覚えておくのは困難であるため、レンズ調整値を簡易に選択して、光学系の調整を行うことができるプロジェクターが求められていた。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、光源と、前記光源から射出された光を、画像信号に応じて画像光に変調する光変調装置と、前記光変調装置で変調された前記画像光を投写する投写レンズと、前記投写レンズに対して所定の調整動作を行うレンズ調整機構と、前記画像信号を入力する複数の入力端子を備える入力端子部と、所定の操作を受け付ける操作受付部と、前記操作受付部が受け付けた前記所定の操作に応じて、前記入力端子部に備わる前記複数の入力端子から１つの入力端子を選択する入力選択部と、前記レンズ調整機構を調整させるためのレンズ調整値を入力端子の種別と関連付けて記憶する調整値記憶部と、前記操作受付部が前記所定の操作を受け付けたときに、前記入力選択部によって選択された入力端子の種別に対応した前記レンズ調整値を、前記調整値記憶部から選択する調整値選択部と、前記調整値選択部が選択した前記レンズ調整値に基づいたレンズ調整動作を、前記レンズ調整機構に行わせる調整制御部と、を備えることを特徴とする。
【０００７】
このようなプロジェクターによれば、レンズ調整機構は、投写レンズに対して調整動作を行う。調整値記憶部は、レンズ調整値を入力端子の種別と関連付けて記憶する。調整値選択部は、所定の操作を受け付けたときに、選択された入力端子の種別に対応したレンズ調整値を、調整値記憶部から選択する。そして、調整制御部は、選択したレンズ調整値に基づいたレンズ調整動作をレンズ調整機構に行わせる。これにより、ユーザーが所定の操作を行うことによって、プロジェクターは、選択された入力端子の種別に対応してレンズ調整動作を行うため、レンズ調整のためのユーザー操作を簡易化することができる。
【０００８】
［適用例２］上記適用例に係るプロジェクターにおいて、前記レンズ調整機構による前記所定の調整動作は、焦点調整のためのフォーカス調整動作、投写画角を調整するズーム調整動作、および、前記投写レンズを移動させることによって画像の投写位置を調整するレンズシフト調整動作のうち少なくとも１つとすることを特徴とする。
【０００９】
このようなプロジェクターによれば、所定の調整動作は、フォーカス調整動作、ズーム調整動作、および、レンズシフト調整動作のうちの少なくとも１つとする。これにより、ユーザーが所定の操作を行うことによって、プロジェクターは、選択されている入力端子の種別に対応したレンズ調整値に基づいたフォーカス調整動作、ズーム調整動作、レンズシフト調整動作を行うため、レンズ調整のためのユーザー操作を簡易化することができる。
【００１０】
［適用例３］上記適用例に係るプロジェクターにおいて、前記操作受付部が受け付ける前記所定の操作は、前記入力選択部に入力端子を選択させる操作であることを特徴とする。
【００１１】
このようなプロジェクターによれば、所定の操作は、入力端子を選択させる操作である。これにより、入力端子が切り替えられた際に、プロジェクターは、選択された入力端子の種別に対応してレンズ調整動作を行う。よって、ユーザーに意識させることなく、選択された入力端子の種別に応じたレンズ調整を行うことができる。
【００１２】
［適用例４］上記適用例に係るプロジェクターにおいて、前記操作受付部が受け付ける前記所定の操作は、前記プロジェクターの電源投入の操作であることを特徴とする。
【００１３】
このようなプロジェクターによれば、所定の操作は、プロジェクターの電源投入操作である。これにより、プロジェクターの電源を投入した際に、プロジェクターは、選択されている入力端子の種別に対応してレンズ調整動作を行う。よって、ユーザーに意識させることなく、入力端子の種別に応じたレンズ調整を行うことができる。
【００１４】
［適用例５］上記適用例に係るプロジェクターにおいて、前記入力選択部が選択する入力端子は、前回電源遮断された際に選択されていた入力端子であることを特徴とする。
【００１５】
このようなプロジェクターによれば、入力選択部が選択する入力端子は、前回電源遮断された際に選択されていた入力端子である。これにより、プロジェクターの電源を投入した際に、プロジェクターは、前回電源遮断時に選択されていた入力端子の種別に対応してレンズ調整動作を行う。よって、ユーザーに意識させることなく、入力端子の種別に応じたレンズ調整を行うことができる。
【００１６】
［適用例６］上記適用例に係るプロジェクターにおいて、前記調整値記憶部に前記レンズ調整値を入力端子の種別と関連付けて記憶させる記憶制御部をさらに備え、前記記憶制御部は、前記レンズ調整値を前記調整値記憶部に記憶させるときに、その時点で前記入力選択部によって選択されている入力端子の種別と関連付けて記憶させることを特徴とする。
【００１７】
このようなプロジェクターによれば、記憶制御部は、調整値記憶部にレンズ調整値を記憶させるときに、その時点で入力選択部によって選択されている入力端子の種別と関連付けて記憶させる。これにより、レンズ調整値が、調整を行っている入力端子の種別と関連付けて記憶されるため、ユーザーは調整操作を戸惑うことなく行うことが可能になる。
【００１８】
［適用例７］上記適用例に係るプロジェクターにおいて、前記調整値記憶部に前記レンズ調整値を入力端子の種別と関連付けて記憶させる記憶制御部をさらに備え、前記記憶制御部は、前記操作受付部による入力端子の選択操作を受け付け、選択された当該入力端子の種別に関連付けて、前記レンズ調整値を前記調整値記憶部に記憶させることを特徴とする。
【００１９】
このようなプロジェクターによれば、記憶制御部は、入力端子の選択を受け付け、選択された入力端子の種別と関連付けて、レンズ調整値を調整値記憶部に記憶させる。これにより、レンズ調整値を所望の入力端子の種別と関連付けて記憶させることができるので、ユーザーの利便性が向上する。
【００２０】
［適用例８］本適用例に係るプロジェクターの制御方法は、光源と、前記光源から射出された光を、画像信号に応じて画像光に変調する光変調装置と、前記光変調装置で変調された前記画像光を投写する投写レンズと、前記投写レンズに対して所定の調整動作を行うレンズ調整機構と、前記画像信号を入力する複数の入力端子を備える入力端子部と、前記入力端子部に備わる前記複数の入力端子から１つの入力端子を選択する入力選択部と、前記レンズ調整機構を調整させるためのレンズ調整値を入力端子の種別と関連付けて記憶する調整値記憶部と、を有するプロジェクターの制御方法であって、所定の操作を受け付ける操作受付ステップと、前記操作受付ステップが受け付けた前記所定の操作に応じて、前記入力選択部に、前記入力端子部に備わる前記複数の入力端子から１つの入力端子を選択させる入力選択ステップと、前記操作受付ステップが前記所定の操作を受け付けたときに、前記入力選択部によって選択された入力端子の種別に対応した前記レンズ調整値を、前記調整値記憶部から選択する調整値選択ステップと、前記調整値選択ステップにおいて選択された前記レンズ調整値に基づいたレンズ調整動作を、前記レンズ調整機構に行わせる調整制御ステップと、を備えることを特徴とする。
【００２１】
このようなプロジェクターの制御方法によれば、ユーザーが所定の操作を行うことによって、プロジェクターは、選択された入力端子の種別に対応してレンズ調整動作を行うため、レンズ調整のためのユーザー操作を簡易化することができる。
【００２２】
また、上述したプロジェクターおよびその制御方法がプロジェクターに備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやハードディスク、ＣＤ−ＲＯＭ（Compact Disk Read Only Memory）、ＤＶＤ（Digital Versatile Disk）、Ｂｌｕ−ｒａｙ  Ｄｉｓｃ（登録商標）、光磁気ディスク、不揮発性メモリーカード、プロジェクターの内部記憶装置（ＲＡＭ（Random Access Memory）やＲＯＭ（Read Only Memory）等の半導体メモリー）、及び外部記憶装置（ＵＳＢ（Universal Serial Bus）メモリー等）等、前記コンピューターが読み取り可能な種々の媒体を利用することができる。
【図面の簡単な説明】
【００２３】
【図１】実施形態に係るプロジェクターの概略構成を示すブロック図。
【図２】調整値記憶部の説明図。
【図３】レンズ調整値を入力端子に関連付けて設定させるためのレンズ調整値設定画面の説明図。
【図４】プロジェクターが入力切替操作を受け付けた際に行うレンズ調整処理のフローチャート。
【図５】プロジェクターが電源投入操作を受け付けた際に行うレンズ調整処理のフローチャート。
【発明を実施するための形態】
【００２４】
以下、実施形態について説明する。
【００２５】
（実施形態）
本実施形態では、所定の操作を受け付けたときに、その時点で選択されている入力端子の種別に対応したレンズ調整値に基づいてレンズ調整動作を行うプロジェクターについて説明する。
【００２６】
図１は、本実施形態に係るプロジェクターの概略構成を示すブロック図である。図１を使用して、プロジェクター１の内部構成について説明する。
【００２７】
プロジェクター１は、画像投写部１０、制御部２０、操作受付部２１、調整値記憶部２２、光源制御部２３、フォーカス制御部２４、ズーム制御部２５、レンズシフト制御部２６、入力端子部３０、入力選択部３１、画像処理部３２、ＯＳＤ（オンスクリーンディスプレイ）処理部３３等を備えている。
【００２８】
画像投写部１０は、光源１１、光変調装置としての３つの液晶ライトバルブ１２Ｒ，１２Ｇ，１２Ｂ、投写光学系としての投写レンズ１３、ライトバルブ駆動部１４、フォーカス調整機構１３１、ズーム調整機構１３２、レンズシフト調整機構１３３等を含んでいる。画像投写部１０は、光源１１から射出された光を、液晶ライトバルブ１２Ｒ，１２Ｇ，１２Ｂで変調して画像光を形成し、この画像光を投写レンズ１３から投写してスクリーンＳＣ１、ＳＣ２、またはＳＣ３等に表示する。ここで、本実施形態では、スクリーンＳＣ１は、コンピューターから出力された画像用のスクリーンとし、スクリーンＳＣ２は、ビデオ画像用のスクリーンとし、スクリーンＳＣ３はＨＤＭＩ（High−Definition Multimedia Interface）画像用のスクリーンとする。
【００２９】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源１１から射出された光は、図示しないインテグレーター光学系によって輝度分布が略均一な光に変換され、図示しない色分離光学系によって光の３色である赤色Ｒ、緑色Ｇ、青色Ｂの各色光成分に分離された後、それぞれ液晶ライトバルブ１２Ｒ，１２Ｇ，１２Ｂに入射する。
【００３０】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素（図示せず）が形成されており、液晶に対して画素毎に駆動電圧を印加可能になっている。ライトバルブ駆動部１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像が色光毎に形成される。形成された各色の画像は、図示しない色合成光学系によって画素毎に合成されてカラー画像となった後、投写レンズ１３から投写される。
【００３１】
投写レンズ１３は、フォーカスレンズ１３ａを有しており、フォーカスレンズ１３ａの位置を移動することで焦点調整（フォーカス調整）を可能としている。また、投写レンズ１３は、ズームレンズ１３ｂを有しており、ズーム状態を変更することで投写画角の調整を可能としている。
【００３２】
フォーカス調整機構１３１は、モーターおよびギヤ等により構成され、フォーカス制御部２４からの制御に基づいて、フォーカスレンズ１３ａを駆動（移動）し、フォーカス調整を行う。また、フォーカス調整機構１３１は、フォーカスレンズ１３ａの位置をフォーカス調整値（フォーカス量）として検出する。そして、検出結果であるフォーカス調整値をフォーカス制御部２４に出力する。本実施形態では、フォーカス調整値を検出する方法としては、フォーカスレンズ１３ａの変化量をエンコーダー等によって検出する。なお、フォーカス調整値を検出する他の方法としては、フォーカス調整機構１３１のモーターをステッピングモーターとし、そのステッピングモーターのステップ数に基づいて検出するようにしてもよい。
【００３３】
ズーム調整機構１３２は、モーターおよびギヤ等により構成され、ズーム制御部２５からの制御に基づいて、ズームレンズ１３ｂを駆動（移動）し、ズーム調整を行う。また、ズーム調整機構１３２は、ズームレンズ１３ｂのズーム状態をズーム調整値（ズーム量）として検出する。そして、検出結果であるズーム調整値をズーム制御部２５に出力する。本実施形態では、ズーム調整値を検出する方法としては、ズームレンズ１３ｂの変化量をエンコーダー等によって検出する。なお、ズーム調整値を検出する他の方法としては、ズーム調整機構１３２のモーターをステッピングモーターとし、そのステッピングモーターのステップ数に基づいて検出するようにしてもよい。
【００３４】
レンズシフト調整機構１３３は、投写レンズ１３を移動させるモーターおよびギヤ等により構成され、レンズシフト制御部２６からの制御に基づいて、投写レンズ１３を移動させ、これにより投写画像の投写位置を変更する。また、レンズシフト調整機構１３３は、投写レンズ１３のレンズシフト状態をレンズシフト調整値（レンズシフト量）として検出する。そして、検出結果であるレンズシフト調整値をレンズシフト制御部２６に出力する。本実施形態では、レンズシフト調整値を検出する方法としては、投写レンズ１３の位置変化量をエンコーダー等によって検出する。なお、レンズシフト調整値を検出する他の方法としては、レンズシフト調整機構１３３のモーターをステッピングモーターとし、そのステッピングモーターのステップ数に基づいて検出するようにしてもよい。
【００３５】
上述したフォーカス調整機構１３１、ズーム調整機構１３２、およびレンズシフト調整機構１３３がレンズ調整機構に相当する。
【００３６】
制御部２０は、ＣＰＵ（Central Processing Unit）、各種データの一時記憶等に用いられるＲＡＭ、および、マスクＲＯＭやフラッシュメモリー、ＦｅＲＡＭ（Ferroelectric RAM：強誘電体メモリー）等の不揮発性のメモリー等（いずれも図示せず）を備え、コンピューターとして機能するものである。制御部２０は、ＣＰＵが不揮発性のメモリーに記憶されている制御プログラムに従って動作することにより、プロジェクター１の動作を統括制御する。また、制御部２０は、選択している入力端子の種別情報を記憶する入力端子情報記憶部２０ａを備えている。入力端子情報記憶部２０ａは不揮発性メモリーによって構成されており、プロジェクター１の電源がオフされた際にも情報を保持する。
【００３７】
操作受付部２１は、ユーザーからの入力操作を受け付けるものであり、ユーザーがプロジェクター１に対して各種指示を行うための複数の操作キーを備えている。操作受付部２１が備える操作キーとしては、電源のオン・オフを切り替えるための電源キー、入力された画像信号を切り替えるための入力切替キー、フォーカス調整を行うためのフォーカス調整キー、ズーム調整を行うためのズーム調整キー、レンズシフト調整を行うためのレンズシフト調整キー、各種設定を行うためのメニュー画面の表示・非表示を切り替えるメニューキー、メニュー画面におけるカーソルの移動等に用いられるカーソルキー、各種設定を決定するための決定キー等がある。ユーザーが操作受付部２１の各種操作キーを操作（押下）すると、操作受付部２１は、この入力操作を受け付けて、ユーザーの操作内容に応じた操作信号を制御部２０に出力する。
【００３８】
なお、操作受付部２１として、遠隔操作が可能なリモコン（図示せず）を用いた構成としてもよい。この場合、リモコンは、ユーザーの操作内容に応じた赤外線等の操作信号を発信し、図示しないリモコン信号受信部がこれを受信して制御部２０に伝達する。
【００３９】
調整値記憶部２２は、不揮発性のメモリーからなり、入力端子の種別に対応付けられたフォーカス調整値、ズーム調整値、およびレンズシフト調整値を記憶する。調整値記憶部２２に対するフォーカス調整値、ズーム調整値、およびレンズシフト調整値の書き込みは、制御部２０が行う。また、記憶されたフォーカス調整値、ズーム調整値、およびレンズシフト調整値は、制御部２０によって読み出される。
【００４０】
ここで、調整値記憶部２２について説明する。
図２は、調整値記憶部２２の説明図である。図２に示すように、調整値記憶部２２は、入力端子種別に対応したレンズ調整値として、フォーカス調整値、ズーム調整値、レンズシフト調整値を記憶する。本実施形態のプロジェクター１では、入力端子として、「コンピューター１」、「コンピューター２」、「Ｓ−ビデオ」、「ビデオ」、「ＨＤＭＩ」を備えている。そして、それぞれの入力端子に対応して、フォーカス調整値、ズーム調整値、レンズシフト調整値が記憶されている。なお、入力端子はこれらに限定するものではなく、その他の入力端子を複数備えてもよい。そして、調整値記憶部２２は、その他の入力端子に対応するレンズ調整値を記憶してもよい。
【００４１】
ここで、レンズ調整値を入力端子に関連付けて調整値記憶部２２に記憶させるための設定画面について説明する。
図３は、レンズ調整値を入力端子に関連付けて設定させるためのレンズ調整値設定画面の説明図である。レンズ調整値設定画面Ｍ１は、ユーザーが操作受付部２１に備わるメニューキーを押下して、特定の操作を行うことにより表示される。本実施形態では、レンズ調整値設定画面Ｍ１は、ＯＳＤ表示とし、制御部２０が後述するＯＳＤ処理部３３に指示を行って表示させる。
【００４２】
図３に示すように、レンズ調整値設定画面Ｍ１の最上部には、レンズ調整値設定画面であることを示す「レンズ調整値設定」の文字列が表示されている。その下には、レンズ調整値を関連付ける入力端子の選択を促すための「現在のレンズ調整値を関連付ける入力端子を選択してください。」の文字列が表示されている。さらに、画面中央には、「現在選択中の入力端子」、「コンピューター１」、「コンピューター２」、「Ｓ−ビデオ」、「ビデオ」、「ＨＤＭＩ」および「レンズ調整値をクリア」の選択肢が表示されている。そして、画面下部には、キー入力手順についての説明が表示されている。
【００４３】
ユーザーが操作受付部２１を操作して、画面上で「現在選択中の入力端子」、「コンピューター１」、「コンピューター２」、「Ｓ−ビデオ」、「ビデオ」、または「ＨＤＭＩ」を選択して、決定キーによって決定すると、制御部２０は、現在のレンズ調整値（フォーカス調整値、ズーム調整値、レンズシフト調整値）を選択された入力端子に関連付けて、調整値記憶部２２に書き込んで記憶させる。このときの操作受付部２１および制御部２０が記憶制御部に相当する。ここで、「現在選択中の入力端子」とは、入力端子情報記憶部２０ａに記憶されている現在選択中の入力端子である。なお、本実施形態では、選択肢のデフォルトは「現在選択中の入力端子」とする。また、「レンズ調整値をクリア」が選択されると、制御部２０は、調整値記憶部２２に記憶されている全てのレンズ調整値を消去（クリア）する。即ちレンズ調整値が記憶されていない状態にする。なお、調整値記憶部２２に記憶されているレンズ調整値は、入力端子毎に消去（クリア）可能としてもよい。例えば、レンズ調整値消去のための画面（図示せず）を表示して、ユーザーに入力端子を選択させ、選択された入力端子に関連付けられたレンズ調整値を消去することが可能である。
【００４４】
図１に戻り、光源制御部２３は、電源回路（図示せず）で生成された直流電流を交流矩形波電流に変換するインバーター（図示せず）や、光源ランプ１１ａの電極間の絶縁破壊を行って、光源ランプ１１ａの始動を促すためのイグナイター（図示せず）等を備えており、制御部２０の指示に基づいて光源１１の点灯を制御する。具体的には、光源制御部２３は、光源１１を始動させて所定の電力を供給することにより光源１１を点灯させるとともに、電力の供給を停止して光源１１を消灯させることができる。また、光源制御部２３は、制御部２０の指示に基づいて光源１１に供給する電力を制御することにより、光源１１の輝度（明るさ）を調整することが可能である。
【００４５】
フォーカス制御部２４は、制御部２０の指示に基づいて、フォーカス調整機構１３１を制御してフォーカスレンズ１３ａを移動させ、フォーカス調整を行う。また、フォーカス制御部２４は、フォーカス調整機構１３１からフォーカス調整値を入力し、制御部２０に出力する。
【００４６】
ズーム制御部２５は、制御部２０の指示に基づいて、ズーム調整機構１３２を制御してズームレンズ１３ｂを移動させ、ズーム調整を行う。また、ズーム制御部２５は、ズーム調整機構１３２からズーム調整値を入力し、制御部２０に出力する。
【００４７】
レンズシフト制御部２６は、制御部２０の指示に基づいて、レンズシフト調整機構１３３を制御して投写レンズ１３を移動させ、レンズシフト調整を行う。また、レンズシフト制御部２６は、レンズシフト調整機構１３３からレンズシフト調整値を入力し、制御部２０に出力する。
【００４８】
入力端子部３０は、パーソナルコンピューターやビデオ再生装置、メモリーカード、ＵＳＢストレージ、デジタルカメラ等、図示しない外部の画像供給装置から、各種形式の画像信号を入力可能な複数の入力端子３０ａを備えている。各入力端子３０ａに入力された画像信号は、入力選択部３１に供給される。
【００４９】
入力選択部３１は、複数の入力端子３０ａのうち、制御部２０の指示に基づく１つの入力端子３０ａを選択し、この入力端子３０ａに入力される画像信号を、画像処理部３２で処理可能な形式の画像情報に変換して、画像処理部３２に出力する。ユーザーが、操作受付部２１に備わる入力切替キーを操作して所望の入力端子３０ａを指定すると、制御部２０は、この入力端子３０ａに入力されている画像信号が、画像処理部３２に出力されるよう、入力選択部３１に指示をする。なお、ユーザーは、画像信号が入力されていない入力端子３０ａを選択することも可能であり、入力選択部３１は、制御部２０の指示に基づいて選択された入力端子３０ａに画像信号が入力されると、画像処理部３２で処理可能な形式の画像情報に変換して、画像処理部３２に出力する。
【００５０】
画像処理部３２は、入力選択部３１から入力される画像情報を、液晶ライトバルブ１２Ｒ，１２Ｇ，１２Ｂの各画素の階調を表す画像データに変換する。ここで、変換された画像データは、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素から射出する光の強弱（階調）が規定される。また、画像処理部３２は、制御部２０の指示に基づき、変換した画像データに対して、明るさ、コントラスト、シャープネス、色合い等を調整するための画質調整処理等を行い、処理後の画像データをＯＳＤ処理部３３に出力する。
【００５１】
ＯＳＤ処理部３３は、制御部２０の指示に基づいて、メニュー画面やメッセージ画面等のＯＳＤ画像を、画像処理部３２から入力される画像データに重畳する処理を行う。ＯＳＤ処理部３３は、図示しないＯＳＤメモリーを備えており、ＯＳＤ画像を形成するための図形やフォント等を表すＯＳＤ画像データを記憶している。制御部２０が、ＯＳＤ画像の重畳を指示すると、ＯＳＤ処理部３３は、必要なＯＳＤ画像データをＯＳＤメモリーから読み出し、入力画像の所定の位置にＯＳＤ画像が重畳されるように、画像処理部３２から入力される画像データにこのＯＳＤ画像データを合成する。ＯＳＤ画像データが合成された画像データは、ライトバルブ駆動部１４に出力される。なお、制御部２０からＯＳＤ画像を重畳する旨の指示がない場合には、ＯＳＤ処理部３３は、画像処理部３２から出力される画像データを、そのままライトバルブ駆動部１４に出力する。
【００５２】
ライトバルブ駆動部１４が、ＯＳＤ処理部３３から入力される画像データに従って液晶ライトバルブ１２Ｒ，１２Ｇ，１２Ｂを駆動すると、液晶ライトバルブ１２Ｒ，１２Ｇ，１２Ｂは、画像データに応じた画像を形成し、この画像が投写レンズ１３から投写される。
【００５３】
次に、操作受付部２１が所定の操作として、入力切替操作または電源投入操作を受け付けた際にプロジェクター１が行うレンズ調整の動作について説明する。ここで、入力切替操作とは、プロジェクター１が画像投写を行っている最中に、ユーザーによって操作受付部２１に備わる入力切替キーが押下され、制御部２０が入力選択部３１に指示を出して入力端子３０ａを切り替える操作を示す。また、電源投入操作とは、操作受付部２１に備わる電源キーが押下され、制御部２０の指示によりプロジェクター１の電源がオンされて画像投写を開始させる操作を示す。
【００５４】
図４は、プロジェクター１が入力切替操作を受け付けた際に行うレンズ調整処理のフローチャートである。図４を用いて、入力切替操作時のレンズ調整処理を説明する。
【００５５】
操作受付部２１が入力切替操作を受け付けると、制御部２０は、入力切替操作に基づいて入力選択部３１に入力端子３０ａを切り替えさせる（ステップＳ１０１）。なお、入力切替操作は、ユーザーが入力端子を選択する操作であってもよく、また信号が入力されている入力端子を自動的に検索して選択させるための操作であってもよい。そして、制御部２０は、切り替えた入力端子３０ａの情報を入力端子情報記憶部２０ａに記憶させる（ステップＳ１０２）。そして、制御部２０は、調整値記憶部２２に入力端子３０ａの種別に対応したレンズ調整値が記憶されているか否かを判断する（ステップＳ１０３）。
【００５６】
レンズ調整値が記憶されていれば（ステップＳ１０３：ＹＥＳ）、制御部２０は、調整値記憶部２２から、入力端子３０ａの種別に対応したフォーカス調整値とズーム調整値とレンズシフト調整値とを取得する（ステップＳ１０４）。このときの制御部２０が調整値選択部に相当する。そして、制御部２０は、フォーカス制御部２４とズーム制御部２５とレンズシフト制御部２６とに指示を出して、フォーカス調整値とズーム調整値とレンズシフト調整値とに応じたレンズ調整動作を行わせる（ステップＳ１０５）。即ち、フォーカス制御部２４は、取得したフォーカス調整値になるようにフォーカス調整を行い、ズーム制御部２５は、取得したズーム調整値になるようにズーム調整を行い、レンズシフト制御部２６は、取得したレンズシフト調整値になるようにレンズシフト調整を行う。このときの制御部２０、フォーカス制御部２４、ズーム制御部２５およびレンズシフト制御部２６が調整制御部に相当する。そして、プロジェクター１が入力切替操作を受け付けた際のレンズ調整処理を終了する。
【００５７】
レンズ調整値が記憶されていなければ（ステップＳ１０３：ＮＯ）、レンズ調整動作を行わずに、プロジェクター１が入力切替操作を受け付けた際のレンズ調整処理を終了する。
【００５８】
図５は、プロジェクター１が電源投入操作を受け付けた際に行うレンズ調整処理のフローチャートである。図５を用いて、電源投入操作時のレンズ調整処理を説明する。
【００５９】
操作受付部２１が電源投入操作を受け付けると、制御部２０は、入力端子情報記憶部２０ａに記憶されている入力端子３０ａの種別情報を取得する（ステップＳ２０１）。制御部２０は、入力端子３０ａの種別情報に基づいて、入力選択部３１に入力端子３０ａを選択させる（ステップＳ２０２）。そして、制御部２０は、調整値記憶部２２に入力端子３０ａの種別に対応したレンズ調整値が記憶されているか否かを判断する（ステップＳ２０３）。
【００６０】
レンズ調整値が記憶されていれば（ステップＳ２０３：ＹＥＳ）、制御部２０は、調整値記憶部２２から、入力端子３０ａの種別に対応したフォーカス調整値とズーム調整値とレンズシフト調整値とを取得する（ステップＳ２０４）。そして、制御部２０は、フォーカス制御部２４とズーム制御部２５とレンズシフト制御部２６とに指示を出して、フォーカス調整値とズーム調整値とレンズシフト調整値とに応じたレンズ調整動作を行わせる（ステップＳ２０５）。そして、プロジェクター１が電源投入操作を受け付けた際のレンズ調整処理を終了する。
【００６１】
レンズ調整値が記憶されていなければ（ステップＳ２０３：ＮＯ）、レンズ調整動作を行わずに、プロジェクター１が電源投入操作を受け付けた際のレンズ調整処理を終了する。
【００６２】
上述したように、入力切替操作または電源投入操作を受け付けると、プロジェクター１は、選択された入力端子３０ａに対応したフォーカス調整値とズーム調整値とレンズシフト調整値とに基づいて、レンズ調整の動作を行う。
【００６３】
上述した実施形態によれば、以下の効果が得られる。
（１）プロジェクター１は、入力切替操作を受け付けたときに、調整値記憶部２２から、切り替えた入力端子３０ａの種別に対応したフォーカス調整値とズーム調整値とレンズシフト調整値とを取得する。そして、制御部２０は、フォーカス制御部２４とズーム制御部２５とレンズシフト制御部２６とに指示を出して、フォーカス調整値とズーム調整値とレンズシフト調整値とに応じたレンズ調整動作を行わせる。これにより、ユーザーが入力切替操作を行うことによって、プロジェクター１は、選択された入力端子３０ａの種別に対応したレンズ調整動作を行うため、ユーザーは、レンズ調整のための操作を行う必要がない。つまり、入力端子３０ａを変更し、その入力端子３０ａに対応したスクリーン（ＳＣ１，ＳＣ２，ＳＣ３）に切り替えた場合に、レンズ調整操作を行わなくてもよい。よって、ユーザー操作を簡易化することができる。また、レンズ調整のための時間を短縮することができる。
【００６４】
（２）プロジェクター１は、電源投入操作を受け付けたときに、入力端子情報記憶部２０ａに記憶されている入力端子３０ａの種別、即ち前回電源オフ時に設定されていた入力端子３０ａの種別に対応したフォーカス調整値とズーム調整値とレンズシフト調整値とを、調整値記憶部２２から取得する。そして、制御部２０は、フォーカス制御部２４とズーム制御部２５とレンズシフト制御部２６とに指示を出して、フォーカス調整値とズーム調整値とレンズシフト調整値とに応じたレンズ調整動作を行わせる。これにより、ユーザーが電源投入操作を行うことによって、プロジェクター１は、選択されている入力端子３０ａの種別に対応したレンズ調整動作を行うため、ユーザーは、レンズ調整のための操作を行う必要がない。よって、電源オフ時に使用していたスクリーン（ＳＣ１，ＳＣ２，ＳＣ３）をそのまま使用する場合に、レンズ調整操作を行わなくてもよいため、ユーザー操作を簡易化することができる。また、プロジェクター１の投写の設置準備を行う際の時間を短縮することができる。
【００６５】
（３）プロジェクター１は、レンズ調整値設定画面Ｍ１を表示して、ユーザーに入力端子３０ａの種別を選択させる。このとき、「現在選択中の入力端子」が選択されると、その時点で入力選択部３１によって選択されている入力端子３０ａの種別と、その時点のレンズ調整値とが関連付けられて調整値記憶部２２に記憶される。これにより、ユーザーは、レンズ調整の作業を戸惑うことなく行うことができる。
【００６６】
（４）プロジェクター１は、レンズ調整値設定画面Ｍ１を表示して、ユーザーに入力端子３０ａの種別を選択させる。このとき、「コンピューター１」、「コンピューター２」、「Ｓ−ビデオ」、「ビデオ」または「ＨＤＭＩ」が選択されると、選択された入力端子３０ａの種別と、現在のレンズ調整値が関連付けられて調整値記憶部２２に記憶される。これにより、レンズ調整の作業を行っているユーザーは、任意の入力端子３０ａの種別とレンズ調整値とを関連付けて記憶させることが可能になるため、利便性が高い。
【００６７】
（５）プロジェクター１は、選択された入力端子３０ａの種別に対応してレンズ調整値（フォーカス調整値、ズーム調整値、レンズシフト調整値）を記憶する。これにより、ユーザーは、入力される画像信号に応じてスクリーンＳＣ１，ＳＣ２，ＳＣ３を使い分けることが可能となり、利便性が向上する。
【００６８】
なお、上述した実施形態に限定されず、種々の変更や改良等を加えて実施することが可能である。変形例を以下に述べる。
【００６９】
（変形例１）上記実施形態では、調整値記憶部２２は、入力端子３０ａの種別毎にレンズ調整値を記憶するものとしたが、それぞれのレンズ調整値（フォーカス調整値とズーム調整値とレンズシフト調整値との組み合わせ）に番号を付与して記憶してもよい。この場合、調整値記憶部２２には、入力端子３０ａの種別毎にレンズ調整値の番号が関連付けて記憶される。また、レンズ調整値と番号を対応付けるために、例えば、レンズ調整値の番号を記憶させるための画面（図示せず）を表示可能として、ユーザーにレンズ調整値とその番号を記憶させる。そして、レンズ調整値の番号を選択させるための画面（図示せず）を表示可能として、ユーザーにレンズ調整値の番号を選択させて、レンズ調整値を取得し、レンズ調整動作を行うことができる。
【００７０】
（変形例２）上記実施形態では、入力切替操作時のレンズ調整処理において、入力端子３０ａの切り替えを行い、入力端子情報記憶部２０ａに記憶させた後に、調整値記憶部２２から入力端子３０ａの種別に対応したレンズ調整値を取得して、レンズ調整動作を行うものとした。しかし、入力端子３０ａの切り替えの処理とレンズ調整動作の処理の順序はこれに限定するものではなく、入力端子３０ａの切り替えの処理とレンズ調整動作の処理とを並行して行ってもよい。この場合、処理に掛かる時間を短縮することができる。また、レンズ調整動作の処理の後で入力端子３０ａの切り替えの処理を行ってもよい。
【００７１】
（変形例３）上記実施形態では、所定の操作として、入力切替操作および電源投入操作について記載したが、所定の操作はこれらの操作に限定するものではなく、他の操作としてもよい。例えば、レンズ調整値を取得してレンズ調整動作を行うためのレンズ調整取得キー（図示せず）を有して、当該レンズ調整取得キーの押下操作を所定の操作としてもよい。この場合、レンズ調整取得キーが押下されたときに入力選択部３１によって選択されている入力端子３０ａに対応したレンズ調整値を、調整値記憶部２２から取得し、レンズ調整動作を行うことができる。
【００７２】
（変形例４）上記実施形態では、入力切替操作や電源投入操作、およびその他のキー操作は、操作受付部２１に備わる操作キーによって行われるものとしたが、プロジェクター１に通信部（図示せず）を備え、外部の電子機器（図示せず）から通信によって入力切替操作信号や電源投入操作信号、およびその他のキー操作信号を受信してもよい。
【００７３】
（変形例５）上記実施形態では、光源１１は、放電型の光源ランプ１１ａによって構成されているが、ＬＥＤ（Light Emitting Diode）光源やレーザー等の固体光源や、その他の光源を用いることもできる。
【００７４】
（変形例６）上記実施形態では、プロジェクター１の光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【００７５】
１…プロジェクター、１０…画像投写部、１１…光源、１１ａ…光源ランプ、１１ｂ…リフレクター、１２Ｒ，１２Ｇ，１２Ｂ…液晶ライトバルブ、１３…投写レンズ、１３ａ…フォーカスレンズ、１３ｂ…ズームレンズ、１４…ライトバルブ駆動部、２０…制御部、２０ａ…入力端子情報記憶部、２１…操作受付部、２２…調整値記憶部、２３…光源制御部、２４…フォーカス制御部、２５…ズーム制御部、２６…レンズシフト制御部、３０…入力端子部、３０ａ…入力端子、３１…入力選択部、３２…画像処理部、３３…ＯＳＤ処理部、１３１…フォーカス調整機構、１３２…ズーム調整機構、１３３…レンズシフト調整機構、ＳＣ１，ＳＣ２，ＳＣ３…スクリーン。
【図１】
0005747580.tif 000002
【図２】
0005747580.tif 000003
【図３】
0005747580.tif 000004
【図４】
0005747580.tif 000005
【図５】
0005747580.tif 000006